(57)【要約】      （修正有）【課題】設置状況に応じて容易にカメラに入射する太陽光および反射光を軽減することを可能にしたカメラ付玄関子機を提供する。【解決手段】来訪者が居住者を呼び出すための呼出ボタン１０、前記来訪者を撮像するためのカメラ１１、居住者と通話を行うための通話部を有するカメラ付玄関子機１であって、前記カメラ付玄関子機は、ケース上１ａ及びケース下を組み合わせて構成され、前記ケース上には、前記ケース上及びケース下内に内蔵される前記カメラを保護するカメラカバー１５が装着され、前記カメラカバーの前面側に、昼間における太陽の直接光が通過する際に当該太陽光に反応しその光透過率を軽減させる機能を有する調光機能付透明カバー２又は、建物やその他建造物等から太陽光の反射光を受ける場合に当該反射光の量を軽減させる機能を有する偏光機能付透明カバーの何れか一方を着脱自在に装着する。【選択図】図２
2010199931.tif 000002
【特許請求の範囲】
【請求項１】
来訪者が居住者を呼び出すための呼出ボタン、前記来訪者を撮像するためのカメラ、居住者と通話を行うための通話部を有するカメラ付玄関子機であって、
前記カメラ付玄関子機は、ケース上及びケース下を組み合わせて構成され、
前記ケース上には、前記ケース上及びケース下内に内蔵される前記カメラを保護するカメラカバーが装着され、前記カメラカバーの前面側に、昼間における太陽の直接光が通過する際に当該太陽光に反応しその光透過率を軽減させる機能を有する調光機能付透明カバー又は、建物やその他建造物等から太陽光の反射光を受ける場合に当該反射光の量を軽減させる機能を有する偏光機能付透明カバーの何れか一方を着脱自在に装着することを特徴とするカメラ付玄関子機。
【請求項２】
前記ケース上の上面から前記カメラカバーの下限まで、前記調光機能付透明カバー又は偏光機能付透明カバーをスライド装着可能とするためのスリットを備え、
前記調光機能付透明カバー又は偏光機能付透明カバーには前記スリットに嵌るスリット装着片を備えたことを特徴とする請求項１記載のカメラ付玄関子機。
【請求項３】
前記ケース上の前面側において、前記カメラカバーの面は、他の面に比べて背面側に構成されることを特徴とする請求項１又は請求項２記載のカメラ付玄関子機。
【請求項４】
前記調光機能付透明カバー又は偏光機能付透明カバーは、前記カメラカバーに比べて大きく構成することを特徴とする請求項１乃至請求項３何れか１項記載のカメラ付玄関子機。
【請求項５】
前記調光機能付透明カバー又は偏光機能付透明カバーは、底面側を開口したことを特徴とする請求項２乃至請求項４何れか１項記載のカメラ付玄関子機。
【発明の詳細な説明】
【技術分野】
【０００１】
本発明はカメラ付玄関子機に係り、特にカメラ付玄関子機のカメラに入射する直接光および反射光を軽減することにより、テレビインターホン装置の映像を良好にすることを可能にするカメラ付玄関子機に関する。
【背景技術】
【０００２】
従来から、インターホン装置において、住宅の玄関に設置される玄関子機には、来訪者等を撮像するためのカメラを有しており、当該カメラには保護するためのカメラカバーが取り付けられている（例えば、特許文献１）。
これにより、カメラのレンズを保護することができる。また、カメラカバーの色によってはカメラの存在を目立たなくさせることも可能であって、利用者に不快感を与えないように構成することも可能である。
【先行技術文献】
【特許文献】
【０００３】
【特許文献１】特開2000-244898号公報
【発明の開示】
【発明が解決しようとする課題】
【０００４】
しかしながら、従来例のカメラ付玄関子機においては、カメラ付玄関子機の設置環境や時間帯によってカメラに太陽光が入射してしまい、呼出時やモニタ時における映像が確認しづらくなってしまう虞があった。
また、カメラ付玄関子機の設置状況は利用者により様々であるため設置後に対策をしたくても容易に行えるものではなかった。
【０００５】
本発明は、上述の難点を解消するためになされたもので、設置状況に応じて容易にカメラに入射する太陽光および反射光を軽減することを可能にしたカメラ付玄関子機を提供することを目的とする。
【課題を解決するための手段】
【０００６】
上記課題を解決する為に、請求項１に記載の発明は、来訪者が居住者を呼び出すための呼出ボタン、前記来訪者を撮像するためのカメラ、居住者と通話を行うための通話部を有するカメラ付玄関子機であって、前記カメラ付玄関子機は、ケース上及びケース下を組み合わせて構成され、前記ケース上には、前記ケース上及びケース下内に内蔵される前記カメラを保護するカメラカバーが装着され、前記カメラカバーの前面側に、昼間における太陽の直接光が通過する際に当該太陽光に反応しその光透過率を軽減させる機能を有する調光機能付透明カバー又は、建物やその他建造物等から太陽光の反射光を受ける場合に当該反射光の量を軽減させる機能を有する偏光機能付透明カバーの何れか一方を着脱自在に装着することを特徴とする。
【０００７】
請求項２の発明は、請求項１のカメラ付玄関子機において、前記ケース上の上面から前記カメラカバーの下限まで、前記調光機能付透明カバー又は偏光機能付透明カバーをスライド装着可能とするためのスリットを備え、前記調光機能付透明カバー又は偏光機能付透明カバーには前記スリットに嵌るスリット装着片を備えたことを特徴とする。
【０００８】
請求項３の発明は、請求項１又は請求項２のカメラ付玄関子機において、前記ケース上の前面側において、前記カメラカバーの面は、他の面に比べて背面側に構成されることを特徴とする。
【０００９】
請求項４の発明は、請求項１乃至請求項３のカメラ付玄関子機において、前記調光機能付透明カバー又は偏光機能付透明カバーは、前記カメラカバーに比べて大きく構成することを特徴とする。
【００１０】
請求項５の発明は、請求項２乃至請求項４のカメラ付玄関子機において、前記調光機能付透明カバー又は偏光機能付透明カバーは、底面側を開口したことを特徴とする。
【発明の効果】
【００１１】
本発明の請求項１のカメラ付玄関子機によれば、カメラ付玄関子機に調光機能付透明カバーまたは偏光機能付透明カバーを取り付けることができるので直接入射する太陽光の入射量を軽減することが可能となり、受光素子が焼き付くことを防止や周辺の建物からの反射光の入射も軽減可能となる。
なお、夜間の太陽光が入射しない状況においては、調光機能により光透過率は復帰し無色透明となるので、光量不足となって夜間の映像品質を損なうことはない。
請求項２のカメラ付玄関子機によれば、調光機能付透明カバーまたは偏光機能付透明カバーを機器上面側からスライドで装着可能としているので取付を容易におこなうことができる。
請求項３のカメラ付玄関子機によれば、調光機能付透明カバーまたは偏光機能付透明カバーを取り付けた際に、出っ張りが少なくなり、意匠性が向上する。
請求項４のカメラ付玄関子機によれば、調光機能付透明カバー又は偏光機能付透明カバーは、カメラカバーに比べて大きく構成したので、背面側にあるカメラカバーに直接太陽光が入射するのを防止できる。
請求項５の発明によれば、調光機能付透明カバーまたは偏光機能付透明カバーの取り付けがより容易になる。
【発明を実施するための最良の形態】
【００１２】
以下、本発明のカメラ付玄関子機を適用した最良の実施の形態例について、図面を参照して説明する。
図１は、本発明の実施例によるカメラ付玄関子機の斜視図であり、図２の分解斜視図である。図１及び図２に示すように、来訪者が居住者を呼び出すための呼出ボタン１０、居住者と通話を行うためのマイク１２、スピーカ１３、来訪者を撮像するためのカメラ１１を有する。
【００１３】
また、カメラ１１の前面には、カメラカバー１５がケース上１ａに装着されている。なお、当該カメラカバーが装着された面は、ケース上１ａの他の面よりも１段低い位置となっている。
ここでカメラ付玄関子機１のケース上１ａの上面から、カメラカバー１５よりも低い位置までスリット１４が左右２箇所に設けられている。このスリット１４には、調光機能付透明カバー２の両サイドに設けられたスリット装着片２１がはまり込む構成となっている（図４の断面図参照）。
また、図３の調光機能付透明カバー２の底面図に示すように、底面側が開口されており、ケース上１ａの上面側からの装着を容易におこなうことができるよう構成されている。
【００１４】
なお、調光機能付透明カバー２の表面積Ｓ２は、カメラカバー１５の表面積Ｓ１よりも大きく構成されている。これは、調光機能付透明カバー２よりも背面側に配置されるカメラカバー１５に太陽光等が直接入射しないようにするためである。
【００１５】
このように、調光機能付透明カバー２をカメラカバー１５の前面側に着脱自在に取り付ける構造としたので、調光機能付透明カバー２のかわりに図５に示す偏光機能付透明カバー３を付け替えることも容易となる。カメラ付玄関子機１の設置環境に応じて調光機能付透明カバー２と偏光機能付透明カバー３とを選択することが可能なので使用者にとって使いやすくなる。
【図面の簡単な説明】
【００１６】
【図１】本発明のカメラ付玄関子機の斜視図である。
【図２】本発明のカメラ付玄関子機の分解斜視図である。
【図３】本発明の調光機能付透明カバー及び偏光機能付透明カバーの底面図である。
【図４】本発明のカメラ付玄関子機のA-A断面図である。
【図５】本発明の偏光機能付透明カバーの斜視図である。
【符号の説明】
【００１７】
１      カメラ付玄関子機
１０  呼出ボタン
１１  カメラ
１２  マイク
１３  スピーカ
１５  カメラカバー
１ａ  ケース上
２      調光機能付透明カバー
３      偏光機能付透明カバー
【図１】
2010199931.tif 000003
【図３】
2010199931.tif 000004
【図４】
2010199931.tif 000005
【図５】
2010199931.tif 000006
【図２】
2010199931.tif 000007